(57)【特許請求の範囲】
【請求項１】
二酸化炭素と反応して二酸化塩素ガスを発生させる粒状の二酸化塩素発生剤と、
ケースと、
を備え、
前記ケースは、
互いに対向する一対の外壁と、
前記一対の外壁の間において渦巻状をなすように配置され、直接又は間接的に連通し、各々が二酸化塩素発生剤を収容している複数の収容室と、
前記一対の外壁の各々に形成され、前記二酸化塩素発生剤が発生させる二酸化塩素ガスを放出する放出孔と、
を有し、
前記二酸化塩素発生剤は各収容室内で移動可能であり、前記二酸化塩素ガスは各収容室間を移動する、空気清浄用具。
【請求項２】
請求項１に記載の空気清浄用具であって、さらに、
前記ケースに収容され、前記放出孔を覆うように配置される通気性シート、
を備える、空気清浄用具。
【請求項３】
請求項１又は２に記載の空気清浄用具であって、
前記ケースは、さらに、前記一対の外壁間で延びる仕切壁を有し、
前記複数の収容室は、前記一対の外壁及び前記仕切壁によって画定されている、空気清浄用具。
【請求項４】
請求項３に記載の空気清浄用具であって、
前記ケースは、さらに、前記仕切壁から各収容室内に向かって突出する複数の突出部を有する、空気清浄用具。
【発明の詳細な説明】
【技術分野】
【０００１】
本発明は、空気清浄用具に関する。
【背景技術】
【０００２】
近年、除菌や消臭等といった二酸化塩素の効果が注目されており、二酸化塩素を用いた様々な空気清浄用具が考案されている。このような空気清浄用具は、例えば、特許文献１に開示されている。
【０００３】
特許文献１には、容器内を複数の収容室に仕切り、各収容室にペレット状亜塩素酸ナトリウムを収容した空気清浄容器が開示されている。当該空気清浄容器では、各収容室内の亜塩素酸ナトリウムに酸性液が供給され、亜塩素酸ナトリウムと酸性液とが反応することにより二酸化塩素が発生する。
【先行技術文献】
【特許文献】
【０００４】
【特許文献１】特開２０１４−００５１７９号公報
【発明の概要】
【発明が解決しようとする課題】
【０００５】
ところで、特許文献１の空気清浄用具において、各収容室の亜塩素酸ナトリウムに酸性液を素早く行き渡らせ、安定して二酸化塩素を発生させるためには、各収容室の容積（底面積）を大きく確保する必要がある。よって、特許文献１のような構成では、空気清浄用具が大型化してしまうという問題がある。
【０００６】
そこで、本発明は、二酸化塩素を安定して発生させることができ、小型化が可能な空気清浄用具を提供することを課題とする。
【課題を解決するための手段】
【０００７】
本発明に係る空気清浄用具は、二酸化炭素と反応して二酸化塩素を発生させる二酸化塩素発生剤と、二酸化塩素発生剤を収容可能な複数の収容室、及び二酸化塩素発生剤が発生させる二酸化塩素を放出する放出孔を有するケースと、を備える。複数の収容室は、二酸化塩素発生剤が各収容室間を移動できるよう、直接又は間接的に連通している。
【０００８】
上記空気清浄用具では、複数の収容室が直接又は間接的に連通しており、二酸化塩素発生剤が各収容室間を自由に移動する。これにより、二酸化塩素発生剤が効率よく空気に接触するため、二酸化塩素を安定して発生させることができる。また、二酸化塩素発生剤が各収容室間を移動するため、各収容室の容積を小さくしても二酸化塩素発生剤を効率よく空気に触れさせることができる。よって、空気清浄用具を小型化することができる。
【０００９】
上記複数の収容室は、渦巻状をなすように配置されていてもよい。これにより、ケース内の二酸化塩素発生剤をさらに効率よく空気に接触させることができる。
【００１０】
上記空気清浄用具は、さらに、ケースに収容され、放出孔を覆うように配置される通気性シート、を備えていてもよい。通気性シートにより、二酸化塩素発生剤が放出孔からこぼれ落ちるのを防止することができる。
【００１１】
上記ケースは、互いに対向し、少なくとも一方に放出孔が形成されている一対の外壁と、一対の外壁間で延びる仕切壁と、を有していてもよい。この場合、複数の収容室は、一対の外壁及び仕切壁によって画定される。この構成によれば、複数の収容室が放出孔に面することとなるため、各収容室内の二酸化塩素発生剤をより効率的に空気に接触させることができる。
【００１２】
上記ケースは、さらに、仕切壁から各収容室内に向かって突出する複数の突出部を有していてもよい。この構成によれば、物や人が収容室内の二酸化塩素発生剤に不必要に接触するのを防止することができる。
【００１３】
上記一対の外壁各々に放出孔が形成されていてもよい。この構成によれば、２つの外壁の双方を空気が通過するため、より効率的に各収容室内の二酸化塩素発生剤を空気に接触させることができる。
【発明の効果】
【００１４】
本発明によれば、二酸化塩素を安定して発生させることができ、且つ空気清浄用具の小型化を図ることができる。
【図面の簡単な説明】
【００１５】
【図１】図１は、本発明の一実施形態に係る空気清浄用具を示す斜視図である。
【図２】図２は、図１に示す空気清浄用具の分解斜視図である。
【図３】図３は、図１に示す空気清浄用具が備える仕切部材の斜視図である。
【図４】図４は、図１に示す空気清浄用具が備える仕切部材の正面図である。
【図５】図５は、図１に示す空気清浄用具の内部を示す図である。
【図６】図６は、上記実施形態の変形例に係る空気清浄用具が備える仕切部材の斜視図である。
【発明を実施するための形態】
【００１６】
以下、本発明の一実施形態について図面を参照しつつ説明する。なお、図中同一又は相当する構成については同一の符号を付し、同じ説明を繰り返さない。
【００１７】
［空気清浄用具の構成］
図１及び図２に示すように、本実施形態に係る空気清浄用具１０は、ケース１と、通気性シート２１，２２と、二酸化塩素発生剤３とを備えている。空気清浄用具１０は、さらに、吊掛部４を備えることができる。
【００１８】
（ケース）
図１及び図２に示すように、ケース１は、ケース本体１１，１２と、仕切部材１３とを有する。ケース１は、例えば、ＡＢＳ樹脂で形成される。以下、説明の便宜上、ケース本体１１の外表面を空気清浄用具１０又はケース１の正面、ケース本体１２の外表面を空気清浄用具１０又はケース１の背面と称する。
【００１９】
ケース本体１１は、ケース本体１２と接合される。ケース本体１１は、外壁１１１と、周壁１１２とを含む。ケース本体１２は、外壁１２１と、周壁１２２とを含む。
【００２０】
外壁１１１，１１２は、それぞれ、正面視で略正方形のプレート状をなす。外壁１１１，１１２は、互いに対向するように配置されている。外壁１１１は、複数の放出孔１１３を含む。外壁１２１は、複数の放出孔１２３を含む。放出孔１１３，１２３は、例えば同径の円状をなす。各放出孔１１３，１２３は、後述する収容室１５１〜１５５（図５）に面している。
【００２１】
周壁１１２は、外壁１１１を取り囲む。周壁１１２は、外壁１１１の周縁から空気清浄用具１０の厚み方向の外方及び内方に突出している。周壁１１２は、外壁１１１の全周に亘って設けられる。
【００２２】
周壁１２２は、外壁１２１を取り囲む。周壁１２２は、外壁１２１の周縁から空気清浄用具１０の厚み方向の外方及び内方に突出している。周壁１２２は、外壁１２１の全周に亘って設けられる。
【００２３】
ケース本体１２は、外壁１２１の周縁部から厚み方向内方に突出する突出部１２５を含む。突出部１２５は、外壁１２１の全周に亘って設けられる。突出部１２５の周長は、ケース本体１１の周壁１１２の周長よりも小さい。よって、ケース本体１１とケース本体１２とを接合した際、突出部１２５が周壁１１２の内方に配置される。突出部１２５は、厚み方向に延びる複数の溝部１２５ａを有する。
【００２４】
周壁１１２の厚み方向内方の縁部には、凹部１１２ａが設けられている。周壁１２２の厚み方向内方の縁部には、凹部１２２ａが設けられている。ケース本体１１とケース本体１２とが接合された際に、凹部１１２ａ，凹部１２２ａは取付孔１４（図１）を形成する。取付孔１４は、後述する吊掛部４を取り付けるための孔である。周壁１１２，１２２は、それぞれ、外壁１１１，１２１を挟んで凹部１１２ａ，１２２ａと対向する位置にも凹部（図示略）を有する。よって、ケース本体１１とケース本体１２とが接合された際、外壁１１１，１２１を挟んで取付孔１４と対向する位置に、取付孔１４と同様の取付孔（図示略）が形成される。
【００２５】
図２に示すように、仕切部材１３は、ケース本体１１とケース本体１２との間に配置される。図２及び図３に示すように、仕切部材１３は、仕切壁１３１と、突出部１３２１，１３２２とを含む。仕切部材１３は、さらに、フランジ１３３を含んでいる。
【００２６】
仕切壁１３１は、ケース本体１１の外壁１１１とケース本体１２の外壁１２１との間で延びている。つまり、仕切壁１３１は、外壁１１１の内表面から外壁１２１の内表面まで延びている。仕切壁１３１及び外壁１１１，１２１により、二酸化塩素発生剤３を収容するための複数の収容室１５１〜１５５（図５）が画定される。
【００２７】
図３及び図４に示すように、仕切壁１３１は、正面視で渦巻状をなす。以下、仕切壁１３１の形状について詳しく説明する。
【００２８】
仕切壁１３１は、外周部１３１１ａ，１３１１ｂ，１３１１ｃ，１３１１ｄと、内周部１３１２ａ，１３１２ｂ，１３１２ｃ，１３１２ｄ，１３１２ｅとを含む。外周部１３１１ａ，１３１１ｂ，１３１１ｃ，１３１１ｄは、内周部１３１２ａ，１３１２ｂ，１３１２ｃ，１３１２ｄ，１３１２ｅを囲むように設けられる。
【００２９】
外周部１３１１ａ，１３１１ｂ，１３１１ｃ，１３１１ｄ、及び内周部１３１２ａ，１３１２ｂ，１３１２ｃ，１３１２ｄ，１３１２ｅは、それぞれ、プレート状をなす。外周部１３１１ａ，１３１１ｂ，１３１１ｃ，１３１１ｄ、及び内周部１３１２ａ，１３１２ｂ，１３１２ｃ，１３１２ｄ，１３１２ｅは、それぞれ、空気清浄容器１０の厚み方向に延びている。外周部１３１１ａ，１３１１ｂ，１３１１ｃ，１３１１ｄ、及び内周部１３１２ａ，１３１２ｂ，１３１２ｃ，１３１２ｄ，１３１２ｅは、それぞれ、ケース本体１１の外壁１１１の内表面からケース本体１２の外壁１２１の内表面まで延びている。
【００３０】
外周部１３１１ａ，１３１１ｂ，１３１１ｃ，１３１１ｄ、及び内周部１３１２ａ，１３１２ｂ，１３１２ｃ，１３１２ｄ，１３１２ｅは、それぞれ、厚み方向と垂直な２方向のうちいずれかの方向にも延びている。以下、説明の便宜上、厚み方向と垂直な２方向のうち、外周部１３１１ａが延びる方向を幅方向、幅方向と垂直な方向を高さ方向という。
【００３１】
外周部１３１１ａは、幅方向に延びている。外周部１３１１ａの幅方向の一端は外周部１３１１ｂに接続されている。仕切部材１３がケース本体１１，１２内に収容された際、外周部１３１１ａの幅方向の他端は、ケース本体１１の周壁１１２及びケース本体１２の周壁１２２に接触する。
【００３２】
外周部１３１１ｂは、高さ方向に延びている。外周部１３１１ｂは、外周部１３１１ａから延びている。つまり、外周部１３１１ｂの高さ方向の一端は、外周部１３１１ａに接続されている。外周部１３１１ｂの高さ方向の他端は、外周部１３１１ｃと接続される。
【００３３】
外周部１３１１ｃは、幅方向に延びている。外周部１３１１ｃは、外周部１３１１ｂから延びている。つまり、外周部１３１１ｃの幅方向の一端は、外周部１３１１ｂに接続されている。外周部１３１１ｃの幅方向の他端は、外周部１３１１ｄと接続される。
【００３４】
外周部１３１１ｄは、高さ方向に延びている。外周部１３１１ｄは、外周部１３１１ｃから延びている。つまり、外周部１３１１ｄの高さ方向の一端は、外周部１３１１ｃに接続されている。外周部１３１１ｄの高さ方向の他端は、内周部１３１２ａと接続される。
【００３５】
外周部１３１１ｂ，１３１１ｄは、外周部１３１１ｃの幅方向の各端から延びている。外周部１３１１ｂは、外周部１３１１ａまで延びているが、外周部１３１１ｄは、外周部１３１１ａまで到達していない。よって、外周部１３１１ｄに接続される内周部１３１２ａは、高さ方向で外周部１３１１ａの内方に配置される。なお、高さ方向又は幅方向で内方の位置とは、仕切壁１３１においてより中央に近い位置を意味する。
【００３６】
内周部１３１２ａは、幅方向に延びる。内周部１３１２ａは、外周部１３１１ａと略平行に延びている。内周部１３１２ａの幅方向の一端は、外周部１３１１ｄに接続されている。内周部１３１２ａの幅方向の他端は、外周部１３１１ｂの近傍に位置している。
【００３７】
内周部１３１２ｂは、高さ方向に延びる。内周部１３１２ｂは、幅方向で外周部１３１１ｂよりも内方に配置され、外周部１３１１ｂと略平行に延びている。内周部１３１２ｂの高さ方向の一端は、内周部１３１２ａの表面に接続されている。内周部１３１２ｂの高さ方向の他端は、外周部１３１１ｃの近傍に位置している。
【００３８】
内周部１３１２ｃは、幅方向に延びる。内周部１３１２ｃは、高さ方向で外周部１３１１ｃよりも内方に配置され、外周部１３１１ｃと略平行に延びている。内周部１３１２ｃの幅方向の一端は、内周部１３１２ｂの表面に接続されている。内周部１３１２ｃの幅方向の他端は、外周部１３１１ｄの近傍に位置している。
【００３９】
内周部１３１２ｄは、高さ方向に延びる。内周部１３１２ｄは、幅方向で外周部１３１１ｄよりも内方に配置され、外周部１３１１ｄと略平行に延びている。内周部１３１２ｄの高さ方向の一端は、内周部１３１２ｃの表面に接続されている。内周部１３１２ｃの高さ方向の他端は、内周部１３１１ａよりも内方に位置している。
【００４０】
内周部１３１２ｅは、幅方向に延びる。内周部１３１２ｅは、幅方向で内周部１３１１ａよりも内方に配置され、内周部１３１１ａと略平行に延びている。内周部１３１２ｅの幅方向の一端は、内周部１３１２ｄの表面に接続されている。内周部１３１２ｅの幅方向の他端周辺部は、内周部１３１２ｃ側に屈曲している。
【００４１】
このように、外周部１３１１ａ，１３１１ｂ，１３１１ｃ，１３１１ｄ、及び内周部１３１２ａ，１３１２ｂ，１３１２ｃ，１３１２ｄ，１３１２ｅは、正面視で渦巻状をなすよう並べられる。すなわち、仕切壁１３１は正面視で渦巻状をなす。よって、仕切壁１３１、ケース本体１１の外壁１１１、及びケース本体１２の外壁１２２によって画定される収容室１５１〜１５５（図５）は、正面視で渦巻状をなす。
【００４２】
図５に示すように、収容室１５１は、外周部１３１１ａ，１３１１ｂ、内周部１３１２ａ、及び外壁１１１，１２２によって画定される。収容室１５２は、外周部１３１１ｂ，１３１１ｃ、内周部１３１２ａ，１３１２ｂ、及び外壁１１１，１２２によって画定される。内周部１３１２ａは、外周部１３１１ｂまで到達しておらず、収容室１５１と収容室１５２とを完全には隔てていない。つまり、内周部１３１２ａと外周部１３１１ｂとの間には隙間が存在する。よって、収容室１５１は、収容室１５２と直接連通している。
【００４３】
収容室１５３は、外周部１３１１ｃ，１３１１ｄ、内周部１３１２ｂ，１３１２ｃ、及び外壁１１１，１２２によって画定される。内周部１３１２ｂは、外周部１３１１ｃまで到達しておらず、収容室１５２と収容室１５３とを完全には隔てていない。つまり、内周部１３１２ｂと外周部１３１１ｃとの間には隙間が存在する。よって、収容室１５３は、収容室１５２と直接連通している。
【００４４】
収容室１５４は、外周部１３１１ｄ、内周部１３１２ａ，１３１２ｃ，１３１２ｄ、及び外壁１１１，１２２によって画定される。内周部１３１２ｃは、外周部１３１１ｄまで到達しておらず、収容室１５３と収容室１５４とを完全には隔てていない。つまり、内周部１３１２ｃと外周部１３１１ｄとの間には隙間が存在する。よって、収容室１５４は、収容室１５３と直接連通している。
【００４５】
収容室１５５は、内周部１３１２ａ，１３１２ｂ，１３１２ｃ，１３１２ｄ、及び外壁１１１，１２２によって画定される。収容室１５５内には、内周部１３１２ｅが配置されている。内周部１３１２ｄは、内周部１３１２ａまで到達しておらず、収容室１５４と収容室１５５とを完全には隔てていない。つまり、内周部１３１２ｄと内周部１３１２ａとの間には隙間が存在する。よって、収容室１５５は、収容室１５４と直接連通している。
【００４６】
このように、複数の収容室１５１〜１５５のうち隣り合う収容室同士は、直接連通している。隣り合っていない収容室同士は、その間に位置する収容室を介して、間接的に連通する。例えば、収容室１５１は、収容室１５３と直接連通していない。しかしながら、収容室１５２が収容室１５１及び収容室１５３の双方と直接連通している。よって、収容室１５１は、収容室１５２を介して、間接的に収容室１５３と連通する。
【００４７】
仕切部材１３は、複数の突出部１３２１を含む。また、仕切部材１３は、複数の突出部１３２２を含む。突出部１３２１，１３２２の数は特に限定されるものではない。各突出部１３２１，１３２２は、仕切壁１３１から収容室１５１〜１５５のいずれかに向かって突出する。各突出部１３２１，１３２２は、各収容室１５１〜１５５内における二酸化塩素発生剤３の移動を完全に妨げることがないよう構成される。
【００４８】
各突出部１３２１は、高さ方向又は幅方向の一端が仕切壁１３１に接続されているが、高さ方向又は幅方向の他端が仕切壁１３１に接続されていない。つまり、各突出部１３２１は、仕切壁１３１の表面から幅方向又は高さ方向に延びているが、当該表面に対向する表面には到達していない。よって、各収容室１５１〜１５５内における二酸化塩素発生剤３の移動が、突出部１３２１によって完全に妨げられることはない。
【００４９】
例えば、外周部１３１１ａから高さ方向に延びる突出部１３２１は、外周部１３１１ａと対向する内周部１３１２ａには到達していない。よって、収容室１５１内において、二酸化塩素発生剤３は、当該突出部１３２１の先端と内周部１３１２ａとの間を通過することができる。
【００５０】
また、例えば、外周部１３１１ｂから幅方向に延びる突出部１３２１は、外周部１３１１ｂに対向する内周部１３１２ｂには到達していない。よって、収容室１５２内において、二酸化塩素発生剤３は、当該突出部１３２１の先端と内周部１３１２ｂとの間を通過することができる。
【００５１】
空気清浄用具１０の厚さ方向において、各突出部１３２１の寸法は、仕切壁１３１の寸法以下とすることができる。つまり、厚さ方向における各突出部１３２１の各端は、仕切壁１３１と同様にケース本体１１の外壁１１１及びケース本体１２の外壁１２１に到達していてもよいし、外壁１１１又は外壁１２１に到達していなくてもよい。
【００５２】
各突出部１３２２は、高さ方向又は幅方向の両端が仕切壁１３１に接続されている。つまり、各突出部１３２２は、仕切壁１３１の表面から幅方向又は高さ方向に延び、当該表面に対向する表面に到達している。ただし、空気清浄用具１０の厚さ方向において、各突出部１３２２の寸法は、仕切壁１３１の寸法よりも小さい。このため、各収容室１５１〜１５５内における二酸化塩素発生剤３の移動が、突出部１３２２によって完全に妨げられることはない。
【００５３】
例えば、外周部１３１１ａの表面から高さ方向に延びる突出部１３２２は、外周部１３１１ａと対向する内周部１３１２ａの表面に到達している。ただし、空気清浄用具１０の厚さ方向において、当該突出部１３２２の寸法は、外周部１３１１ａ及び内周部１３１２ａの各寸法よりも小さい。つまり、厚さ方向における当該突出部１３２２の各端は、ケース本体１１の外壁１１１及び／又はケース本体１２の外壁１２１に到達していない。よって、二酸化塩素発生剤３は、当該突出部１３２２と外壁１１１及び／又は外壁１２１との間を通過することができる。
【００５４】
また、例えば、外周部１３１１ｂの表面から幅方向に延びる突出部１３２２は、外周部１３１１ｂと対向する内周部１３１２ｂの表面に到達している。ただし、空気清浄用具１０の厚さ方向において、当該突出部１３２２の寸法は、外周部１３１１ｂ及び内周部１３１２ｂの各寸法よりも小さい。つまり、厚さ方向における当該突出部１３２２の両縁は、外壁１１１及び／又は外壁１２１に到達していない。よって、二酸化塩素発生剤３は、当該突出部１３２２と外壁１１１及び／又は外壁１２１との間を通過することができる。
【００５５】
仕切部材１３は、４つのフランジ１３３を有する。各フランジ１３３は、ケース本体１１，１２内における仕切部材１３の移動を規制する。各フランジ１３３は、仕切壁１３１からケース本体１１，１２の周壁１１２，１２２に向かって延びる。各フランジ１３３の先端は、突出部１２５の溝部１２５ａに収容される。
【００５６】
（通気性シート）
図１及び図２に示すように、通気性シート２１，２２は、ケース１に収容される。より詳細には、通気性シート２１は、ケース本体１１の外壁１１１の内表面上に配置される。通気性シート２２は、ケース本体１２の外壁１２１の内表面上に配置される。
【００５７】
通気性シート２１は、外壁１１１の各放出孔１１３を外壁１１１の内方から覆っている。通気性シート２２は、外壁１２１の各放出孔１２３を外壁１２１の内方から覆っている。つまり、通気性シート２１，２２により、各放出孔１１３，１２３と各収容室１５１〜１５５に収容される二酸化塩素発生剤３とが隔てられる。
【００５８】
通気性シート２１，２２は、ガス透過性を有する。よって、通気性シート２１，２２を介してケース１に空気が導入される。より詳しくは、放出孔１１３，１２３及び通気性シート２１，２２を介して、ケース１内の収容室１５１〜１５５に空気が導入される。収容室１５１〜１５５内の二酸化塩素発生剤３が二酸化塩素を発生させた場合、当該二酸化塩素は、通気性シート２１，２２及び放出孔１１３，１２３を介してケース１から放出される。
【００５９】
通気性シート２１，２２は、特に限定されるものではないが、例えば不織布で構成することができる。不織布は、例えば、ポリエチレンテレフタレートの単独重合体及び／又は共重合体を含むものであってもよい。
【００６０】
（二酸化塩素発生剤）
図１に示すように、ケース１には、二酸化塩素発生剤３が収容される。より詳細には、図５に示すように、二酸化塩素発生剤３は、ケース１内の各収容室１５１〜１５５内に収容される。二酸化塩素発生剤３は、各収容室１５１〜１５５間を自由に移動することができる。
【００６１】
例えば、二酸化塩素発生剤３は、仕切壁１３１の外周部１３１１ｂと内周部１３１２ａとの隙間を通り、収容室１５１と収容室１５２との間を移動する。二酸化塩素発生剤３は、外周部１３１１ｃと内周部１３１２ｂとの隙間を通り、収容室１５２と収容室１５３との間を移動する。二酸化塩素発生剤３は、外周部１３１１ｄと内周部１３１２ｃとの隙間を通り、収容室１５３と収容室１５４との間を移動する。二酸化塩素発生剤３は、内周部１３１２ａと内周部１３１２ｄとの隙間を通り、収容室１５４と収容室１５５との間を移動する。
【００６２】
二酸化塩素発生剤の状態及び形状は、特に限定されるものではないが、例えば図５に示すように、粒状の二酸化塩素発生剤３を用いることができる。この場合、各収容室１５１〜１５５を連通させるための各主要室１５１〜１５５間の連通路は、二酸化塩素発生剤３の粒径よりも大きくする必要がある。
【００６３】
二酸化塩素発生剤３は、二酸化炭素と反応して二酸化塩素を発生させる。二酸化塩素発生剤３としては、公知又は市販のものを適宜採用することができる。例えば、二酸化塩素発生剤３は、セピオライト粒子等の無機多孔質担体に亜塩素酸ナトリウム等の亜塩素酸塩を担持させたものであってもよい。このような二酸化塩素発生剤３で市販されているものとして、例えば、製品名「クロサイド」、ダイソー株式会社製等を挙げることができる。
【００６４】
無機多孔質担体に亜塩素酸塩を担持させた二酸化塩素発生剤３は、二酸化炭素及び水と反応して二酸化塩素を発生させる。つまり、二酸化塩素発生剤３は、空気と接触した際、空気中の二酸化炭素及び水蒸気と反応して二酸化塩素を発生させる。
【００６５】
（実施形態の効果）
本実施形態に係る空気清浄用具１０では、ケース１内に設けられた収容室１５１〜１５５が直接又は間接的に連通しており、二酸化塩素発生剤３が各収容室間１５１〜１５５を自由に移動する。これにより、ケース１内の二酸化塩素発生剤３が効率よく空気に接触し、安定して二酸化塩素を発生させる。また、二酸化塩素発生剤３が各収容室１５１〜１５５間を移動するため、各収容室１５１〜１５５の容積を小さくしても、二酸化塩素発生剤３を効率よく空気に接触させることができる。よって、空気清浄用具１０の小型化を図ることができる。
【００６６】
空気清浄用具１０において、収容室１５１〜１５５は、正面視で渦巻状をなすように配置されている。このように収容室１５１〜１５５を配置することで、二酸化塩素発生剤３をより効率よく空気に接触させることができる。
【００６７】
空気清浄用具１０では、通気性シート２１，２２がケース１の内方から放出孔１１３，１２３を覆っている。このため、二酸化塩素発生剤３が放出孔１１３，１２３からこぼれ落ちるのを防止することができる。
【００６８】
空気清浄用具１０では、互いに対向する外壁１１１，１２１と、仕切壁１３１とによって収容室１５１〜１５５が画定されている。外壁１１１，１２３が有する放出孔１１３，１２３は、収容室１５１〜１５５に面している。よって、放出孔１１３，１２３から導入される空気は、確実に収容室１５１〜１５５内の二酸化塩素発生剤３に接触する。よって、二酸化塩素をより安定して発生させることができる。
【００６９】
空気清浄用具１０では、仕切壁１３１から各収容室１５１〜１５５内に向かって突出する複数の突出部１３２１，１３２２が設けられている。このため、物や人が収容室１５１〜１５５内の二酸化塩素発生剤３に不用意に触れるのを防止することができる。
【００７０】
空気清浄用具１０では、互いに対向する外壁１１１，１２１それぞれに放出孔１１３，１２３が形成されている。これにより、ケース１の正面及び背面の双方から空気を導入することができる。よって、多くの空気を各収容室１５１〜１５５内の二酸化塩素発生剤３に接触させることができ、二酸化塩素をより安定して発生させることができる。
【００７１】
［変形例］
以上、本発明の実施形態について説明したが、本発明は上記実施形態に限定されるものではなく、その趣旨を逸脱しない限りにおいて種々の変更が可能である。
【００７２】
上記実施形態では、ケース１内において、仕切部材１３の仕切壁１３１が正面視で渦巻状をなしているが、特にこれに限定されるものではない。つまり、収容室１５１〜１５５は、渦巻状に配置されていなくてもよい。
【００７３】
例えば、図６に示す仕切部材１３Ａのように、仕切壁１３１Ａは、枠状の外周部１３１１Ａと、外周部１３１１Ａの内部で平行に延びる複数の内壁部１３１２Ａａ，１３１２Ａｂとを有していてもよい。内壁部１３１２Ａａと内壁部１３１２Ａｂとは、交互に配置されている。内壁部１３１２Ａａは、外周部１３１１Ａの内面Ｓ１から延びているが、内面Ｓ１に対向する内面Ｓ２には到達していない。内壁部１３１２Ａｂは、内面Ｓ２から延びているが、内面Ｓ２には到達していない。よって、各内壁部１３１２Ａａと内面Ｓ２との間、及び各内壁部１３１２Ａｂと内面Ｓ１との間には隙間が生じている。このような構成の仕切壁１３１Ａであっても、直接又は間接的に連通する複数の空間（収容室）を形成することができる。
【００７４】
上記実施形態では、仕切部材１３１には、突出部１３１２ａ，１３１２ｂが設けられている。しかしながら、仕切部材１３１は、突出部１３１２ａ，１３１２ｂを有していなくてもよい。
【００７５】
上記実施形態では、ケース１の外壁１１１，１２１各々が放出孔１１３，１２３を有している。しかしながら、外壁１１１，１２１のうち一方のみに放出孔を設けてもよい。
【００７６】
放出孔は、外壁１１１，１２１以外の場所に設けることもできる。つまり、ケース内の収容室の配置等に応じて、放出孔の位置を適宜決定することができる。
【００７７】
二酸化塩素発生剤３を収容するケース１の構成も、上記実施形態のものには限定されない。ケースは、一対の外壁１１１，１２１間で延びる仕切壁１３１を備えていなくてもよいし、一対の外壁１１１，１２１を備えていなくてもよい。
【符号の説明】
【００７８】
１０    空気清浄用具
１    ケース
１１３，１２３    放出孔
１１１，１２１    外壁
１３１，１３１Ａ    仕切壁
１３２ａ，１３２ｂ    突出部
１５１〜１５５    収容室
２１，２２    通気性シート
３    二酸化塩素発生剤
【図１】
0005913457.tif 000002
【図２】
0005913457.tif 000003
【図３】
0005913457.tif 000004
【図４】
0005913457.tif 000005
【図５】
0005913457.tif 000006
【図６】
0005913457.tif 000007